(57)【特許請求の範囲】
【請求項１】
収納箱と、
前記収納箱に収納された収納位置と前記収納箱から下方に突出した突出位置との間で昇降可能な昇降棚と、
前記収納箱の内側を加熱するための加熱装置と、
前記収納箱の内側に設けられた照明装置とを備え、
前記照明装置は、
前記収納箱の内面に沿って設けられたケーシングと、
前記ケーシングに収納された発光装置と、
前記ケーシングにおいて前記収納箱の内側に臨む外面を覆う遮熱部材とを備え、
前記ケーシングは金属製であり、
前記ケーシングに放熱フィンが形成され、
前記放熱フィンにおける前記収納箱の内側に臨む外面が、前記遮熱部材によって覆われたことを特徴とする収納装置。
【請求項２】
前記収納箱は、
前板を備え、
前記前板が前記ケーシングの前面に沿って配置され、前記ケーシングに取り付けられたことを特徴とする請求項１に記載の収納装置。
【請求項３】
前記収納箱は、
一対の側板を備え、
前記ケーシングは前記一対の側板の間に亘って設けられたことを特徴とする請求項１又は請求項２に記載の収納装置。
【発明の詳細な説明】
【技術分野】
【０００１】
本発明は、照明装置が設けられた収納装置に関する。
【背景技術】
【０００２】
特許文献１には、厨房装置本体の上方に設けられる吊戸棚が開示されている。この吊戸棚は、その下面に厨房装置本体のカウンターを照らすための照明機器が取り付けられている。
【先行技術文献】
【特許文献】
【０００３】
【特許文献１】特開２０１３−８５８２５号公報
【発明の概要】
【発明が解決しようとする課題】
【０００４】
ところで、前記吊戸棚の下面に取り付けられた照明機器は、吊戸棚から下方に大きく突出している。このため、照明機器が吊戸棚と一体的に見えにくくて目立ちやすく、照明機器を含めた吊戸棚の外観がよくない。また、吊戸棚は、厨房装置本体を利用する利用者から上下方向に離れて位置するため、利用者は吊戸棚に物品を収納しにくい。また、吊戸棚に食器等の濡れた物品を収納した場合に、これら物品が乾きにくいという課題もある。
【０００５】
本発明は前記事情に鑑みてなされたものであって、外観がよく、物品を容易に収納でき、収納した物品を速やかに乾燥できる収納装置を提供することを目的とする。
【課題を解決するための手段】
【０００６】
前記目的を達成するために本発明の収納装置は、収納箱と、前記収納箱に収納された収納位置と前記収納箱から下方に突出した突出位置との間で昇降可能な昇降棚と、前記収納箱の内側を加熱するための加熱装置と、前記収納箱の内側に設けられた照明装置とを備え、前記照明装置は、前記収納箱の内面に沿って設けられたケーシングと、前記ケーシングに収納された発光装置と、前記ケーシングにおいて前記収納箱の内側に臨む外面を覆う遮熱部材とを備え、前記ケーシングは金属製であり、前記ケーシングに放熱フィンが形成され、前記放熱フィンにおける前記収納箱の内側に臨む外面が、前記遮熱部材によって覆われたことを特徴とする。
【発明の効果】
【０００７】
本発明に係る収納装置は、照明装置が収納箱の内側に設けられている。このため、照明装置が収納箱から大きく突出せず、外観がよい。また、利用者は、昇降棚を昇降することで、物品を収納箱に容易に収納できる。また、利用者は、加熱装置により収納箱の内側を加熱することで、昇降棚に載せた食器等の物品を速やかに乾燥できる。
【図面の簡単な説明】
【０００８】
【図１】図１は、本発明の実施形態の収納装置の正面図である。
【図２】図２は、前記収納装置を設置した状態を示した断面図である。
【図３】図３は、前記収納装置を前板等の図示を省略して示した斜視図である。
【図４】図４は、図２のＡ部拡大図である。
【図５】図５は、前記収納装置の照明装置を示した斜視断面図である。
【図６】図６は、他例の照明装置を示した断面図である。
【発明を実施するための形態】
【０００９】
以下、本発明の実施形態につき添付図面に基づいて説明する。図１には、本実施形態の収納装置１が示されている。収納装置１は、例えば図２に示すように、台所の壁９１に沿って設置され、フロアーキャビネット９２（調理台）の上方に位置する吊戸棚として利用される。
【００１０】
なお、以下では、収納装置１が設置された状態を基準として説明する。具体的には、収納装置１から見て壁９１と反対側（図２中Ｄ１で示す方向）を前方、収納装置１から見て壁９１側（図２中Ｄ２で示す方向）を後方と定義し、図１中Ｄ３で示す方向を左方、Ｄ４で示す方向を右方と定義する。
【００１１】
図２に示されるように、収納装置１は、外郭となる収納箱２と、収納箱２に出入可能に収納される昇降棚３と、昇降棚３を昇降させる昇降装置４とを備えている。
【００１２】
収納箱２は、下方に開口した矩形箱状に形成されている。収納箱２は、天板２０、前板２１、左右一対の側板２２，２３（図１参照）、および背板２４を備えている。天板２０、前板２１、一対の側板２２，２３、および背板２４は、収納箱２の上面、前面、側面、および後面のそれぞれを構成している。
【００１３】
前板２１は、前板本体部２５と、前板本体部２５の下方に位置する幕板２６とで構成されている。前板本体部２５は木製であり、具体的には合板から形成されている。前板本体部２５は、左右方向に延びた矩形板状に形成されている。なお、前板本体部２５は、金属製または合成樹脂製であってもよい。
【００１４】
幕板２６は、金属製であって、具体的にはアルミニウム製である。幕板２６は、正面視で左右方向に延びた矩形の中空板状に形成されている。幕板２６は、前板２１の下端部を構成している。幕板２６の上端部は、接着剤等を用いて前板本体部２５に固定されている。なお、幕板２６は、合成樹脂製、または木製であってもよい。また、前板２１は一枚の板材で構成されてもよい。
【００１５】
天板２０、一対の側板２２，２３、および背板２４は木製であって、具体的には合板から形成されている。なお、天板２０、一対の側板２２，２３、および背板２４のそれぞれは、金属製または合成樹脂製であってもよく、また、複合材であってもよい。
【００１６】
昇降棚３は、前方および上方に開口した箱状に形成されており、収納箱２よりも一回り小さい。なお、昇降棚３は、木製、金属製、あるいは合成樹脂製のいずれであってもよいが、後述する加熱装置５により、昇降棚３が加熱されることを考慮すれば、耐熱性の優れた材質であることが好ましい。
【００１７】
昇降棚３は、横板状の棚部３０と、棚部３０の両側端部から上方に突出した側壁部３１，３２（図１参照）と、棚部３０の後端部から上方に突出した後壁部３３とを備えている。棚部３０、一対の側壁部３１，３２、および後壁部３３は、それぞれ、昇降棚３の下面、側面、および後面を構成している。
【００１８】
なお、昇降棚３は物品を載せるための棚部３０を備えたものであればよく、後面または両側面、あるいは後面および両側面が開口した棚であってもよい。
【００１９】
昇降装置４は収納箱２の内側に位置し、収納箱２に取り付けられている。昇降装置４は、昇降棚３を収納箱２に収納した収納位置と収納箱２から下方に突出した突出位置との間で昇降する。図２には昇降棚３が収納位置に配置された状態が示されており、図１には昇降棚３が突出位置に配置された状態が示されている。
【００２０】
昇降装置４は、例えばモーターにより駆動する巻取ドラムにより、昇降棚３が吊り下げられた索を巻き取ったり繰り出したりすることで、昇降棚３を昇降させる。なお、昇降装置４は、例えば昇降棚３に連結されたアームやねじ棒等をモーターにより駆動することで、昇降棚３を昇降させる装置であってもよい。また、収納箱２には、昇降棚３を上下動可能に支持する機構だけが設けられてもよい。この場合、利用者は、昇降棚３を手動で昇降する。
【００２１】
収納装置１は、図２および図３に示すように、収納箱２の内部を加熱するための加熱装置５と、収納箱２内に設けられた照明装置６とをさらに備えている。
【００２２】
本実施形態の加熱装置５は、収納箱２に設けられて収納箱２内に温風を供給する温風供給装置で構成されている。
【００２３】
加熱装置５は、図３に示すように、収納箱２の天板２０の下面に取り付けられており、収納箱２内の上端部に位置している。加熱装置５は、外郭を構成するケース５０と、ケース５０内に設けられたヒーター５１および送風機５２を備えている。
【００２４】
ケース５０には、吸気口５３と吹出口５４が形成されている。吸気口５３は、収納箱２の側端部に位置し、下方に向かって開口している。吹出口５４は、収納箱２の左右方向における中央部に位置し、下方に向かって開口している。
【００２５】
加熱装置５の駆動の開始および停止は、幕板２６の前面部に設けられた操作部２７（図１参照）の操作に応じて切り替えられる。
【００２６】
加熱装置５が駆動すると、送風機５２によってケース５０下方の収納箱２内の空気が吸気口５３を介してケース５０内に吸い込まれ、この空気がヒーター５１で加熱された後、吹出口５４からケース５０下方の収納箱２内に吹き出される。
【００２７】
昇降棚３が図２に示される収納位置に配置された状態で、加熱装置５が駆動したとき、加熱装置５の吹出口５４から吹き出された温風は、昇降棚３の棚部３０上に送られる。このため、棚部３０に食器等の物品を載せて昇降棚３を収納位置に配置し、この状態で加熱装置５が駆動すると、吹出口５４から吹き出された温風は、昇降棚３に配置された物品に当たり、これにより当該物品が加熱されて乾燥する。
【００２８】
なお、加熱装置５は温風供給装置に制限されず、収納箱２内を加熱するためのヒーター等であってもよい。
【００２９】
照明装置６は、収納箱２の下端部の前端部に設けられており、加熱装置５よりも下方かつ前方に位置している。照明装置６は、収納箱２の下方を照明する。なお、照明装置６は、収納箱２の下端（前板２１の下端）よりも上方の収納箱２内に設けられていればよく、照明装置６が設けられる箇所は、収納箱２の下端部の前端部に制限されない。例えば照明装置６は、収納箱２の下端部の後端部や、上下方向の中央部における前端部などに設けられてもよい。
【００３０】
図４および図５に示すように、照明装置６は、ケーシング６０と、ケーシング６０に収納された発光装置６１と、遮熱部材６２とを備えている。
【００３１】
ケーシング６０は遮光性を有し且つ剛性の優れた材料により形成されている。ケーシング６０は、収納箱２の前板２１および側板２２，２３よりも剛性の高い材料から形成されている。具体的に本実施形態のケーシング６０は、アルミニウム製である。
【００３２】
なお、ケーシング６０は、ステンレス等のその他の金属材料、あるいは合成樹脂等から形成されてもよい。また、ケーシング６０は、厚みを大きくする等、形状を工夫することで、前板２１および左右の側板２２，２３よりも剛性を高めたものであってもよい。この場合、ケーシング６０の材料は、前板２１や側板２２，２３と同等の剛性を有する材料、あるいは前板２１および側板２２，２３よりも剛性の低い材料から形成されてもよい。
【００３３】
図３に示されるように、ケーシング６０は、左右に延びた長尺な部材であり、収納箱２の左右の側板２２，２３の間に亘っている。ケーシング６０の左右方向と直交する断面の形状は、左右方向に亘って同じである。
【００３４】
図４に示されるように、ケーシング６０は、発光装置６１を収納する収納部６３と、収納部６３から突出した放熱フィン６４とを備えている。
【００３５】
収納部６３は、下方に開口した略Ｃ字状（コ字状）に形成されている。収納部６３は、上片部６５と、上片部６５の前端部から下方に向かって突出した前片部６６と、上片部６５の後端部から下方に向かって突出した後片部６７とを備えている。収納部６３には、上片部６５、前片部６６、および後片部６７で構成されて、下方に開口した溝部６８が形成されている。
【００３６】
発光装置６１は、収納部６３の溝部６８に収納されている。発光装置６１は、回路基板６９と回路基板６９に設けられた光源７０とを備えている。
【００３７】
回路基板６９は、上片部６５の下面に沿って左右方向に延びた板状に形成されている。回路基板６９は、上片部６５に取り付けられている。
【００３８】
光源７０は、複数の発光ダイオード７１を備えている。これら複数の発光ダイオード７１は、回路基板６９の下面に左右方向に一直線状に並べて実装されている。各発光ダイオード７１は、回路基板６９に設けられた回路を介して電力が供給されることで、下向きに光を発する。
【００３９】
なお、発光装置６１は、光源として、有機エレクトロルミネッセンスや蛍光灯等を用いた装置であってもよい。
【００４０】
照明装置６の収納部６３には、溝部６８の下開口部７５を塞いで、溝部６８の内側にごみや埃等が入り込むことを抑制するカバー７６が設けられている。カバー７６は透光性を有し、複数の発光ダイオード７１の下方に位置している。なお、カバー７６は乳白色に着色されているが、その他の色が着色されてもよいし、無色であってもよい。
【００４１】
各発光ダイオード７１から発した光は、カバー７６を透してカバー７６の下方に出射する。なお、カバー７６は、光源７０からの光を拡散する機能や、光源７０からの光を後方に傾けて出射する機能などを備えてもよい。また、カバー７６は省略可能である。
【００４２】
ケーシング６０の放熱フィン６４は、収納部６３と一体に形成されている。放熱フィン６４は、収納部６３の上片部６５の前端部から上方に向かって突出した放熱片部７７と、放熱片部７７に上下方向に複数並べて設けられた突起７８とで構成されている。本実施形態の放熱フィン６４は、収納部６３の前片部６６とで、ケーシング６０の前面を構成している。
【００４３】
各突起７８は、放熱片部７７から前方に向かって突出している。各突起７８の左右方向と直交する断面の形状は、矩形状である。なお、放熱フィン６４は、放熱フィン６４に伝わった熱を効率良く放熱できるよう表面積が広くなるような形状であればよく、例えば屈曲板状であってもよいし、点在する複数の突起を備えたもの等であってもよい。また、各発光ダイオード７１から発生する熱が小さい場合、放熱フィン６４は、各突起７８を備えず、略平面状に形成されてもよい。
【００４４】
遮熱部材６２は、ケーシング６０の後面に沿って配置され、ケーシング６０に接着剤またはビス等の固着具、またはその両方を用いて取り付けられている。
【００４５】
遮熱部材６２は、ケーシング６０において収納箱２の内側に臨む外面を覆うことで、加熱装置５により収納箱２の内側が加熱されたときに、収納箱２内の熱がケーシング６０に伝わることを抑制する。このため、遮熱部材６２は、ケーシング６０よりも熱伝導率が小さく、ケーシング６０よりも比熱が大きい材質であることが好ましい。
【００４６】
なお、遮熱部材６２は、ケーシング６０において収納箱２の内側に臨む外面の全部を覆うものであってもよいし、一部を覆うものであってもよい。すなわち、遮熱部材６２は、ケーシング６０において収納箱２の内側に臨む外面のうち、少なくとも一部を覆うものであればよい。
【００４７】
本実施形態の遮熱部材６２は、合成樹脂製である。なお、遮熱部材６２の材料は、合板やパーチ材等の木材、発泡ポリスチレン、発泡ポリプロピレン、発泡ポリエチレン、グラスウール等の断熱材、あるいはゴムなどから形成されてもよい。
【００４８】
遮熱部材６２は、左右方向に延びた長尺部材である。遮熱部材６２の左右長さは、ケーシング６０の左右長さと同じである。
【００４９】
遮熱部材６２は、放熱フィン６４の後面に沿った板状部７９と、板状部７９の後端部から下方に向かって突出して収納部６３の後面に沿った突片部８０とを備えている。
【００５０】
板状部７９は、厚み方向が前後方向と平行であり、正面視形状が左右方向に延びた矩形状である。板状部７９は、前面が放熱片部７７の後面に接し、放熱フィン６４の後側を覆っている。また、板状部７９は、下面が上片部６５の上面に接しており、収納部６３の上側を覆っている。
【００５１】
突片部８０は、厚み方向が前後方向と平行であり、左右方向に延びた矩形板状である。突片部８０は、前面が後片部６７の後面に接し、収納部６３の後側を覆っている。突片部８０の下端面は、収納部６３の下端面（詳しくは前片部６６の下端面、および後片部６７の下端面）と同じ高さに位置している。
【００５２】
前片部６６および放熱フィン６４の放熱片部７７のそれぞれには、前方に突出した当接片８１が形成されている。各当接片８１の前端面は、収納箱２の前板２１の後面に接している。
【００５３】
なお、本実施形態の放熱フィン６４は、各突起７８が前板２１に接していないが、突起７８は前板２１に接してもよい。
【００５４】
ケーシング６０の左右方向の両端面（詳しくは収納部６３の左右両端面および放熱フィン６４の左右両端面）は、図３に示されるように収納箱２の対応する側板２２，２３の内面に接している。また、遮熱部材６２の左右方向の両端面（詳しくは板状部７９および突片部８０のそれぞれの両端面）は、収納箱２の対応する側板２２，２３の内面に接している。
【００５５】
照明装置６は、遮熱部材６２を、ダボやビス等の固着具または接着剤、あるいはその両方を用いて収納箱２の対応する側板２２，２３に固定することで、収納箱２に取り付けられている。
【００５６】
収納箱２の図２に示される前板２１は、ケーシング６０の前面にビス等の固着具または接着剤、あるいはその両方を用いて取り付けられている。このため、ケーシング６０は、収納箱２の形状を保つ補強部材としての役割を果たしている。また、ケーシング６０は、収納箱２の一対の側板２２，２３の間に亘っており、収納箱２の両側板２２，２３間の距離を保つ桟木のような役割を果たしている。
【００５７】
なお、収納箱２の前板２１をケーシング６０にビスを用いて固定するとき、このビスは照明装置６においてケーシング６０にのみねじ込んでもよいし、ケーシング６０および遮熱部材６２の両者にねじ込んでもよい。前者の場合、前板２１を容易に固定でき、後者の場合、前板２１を照明装置６に強固に固定できる。
【００５８】
また、ケーシング６０は、ビス等の固着具または接着剤、あるいはその両方を用いて一対の側板２２，２３に取り付けられてもよい。また、ケーシング６０は、収納箱２の前板２１の後面に接するだけで、前板２１に取り付けられなくてもよい。
【００５９】
図４に示されるように、照明装置６の収納部６３の下端（前片部６６および後片部６７のそれぞれの下端）は、収納箱２の前板２１の下端、および収納位置に配置された昇降棚３の棚部３０の下面と同じ高さに配置される。
【００６０】
照明装置６の複数の発光ダイオード７１の点灯および消灯は、収納箱２に設けられた操作部２７または昇降棚３に設けられた操作部３４（図１参照）の操作により切り替え可能である。複数の発光ダイオード７１が点灯したとき、各発光ダイオード７１から発した光は、カバー７６を透して収納部６３の下方に出射する。これにより、収納箱２の下方が照明される。
【００６１】
利用者は、例えば以下のようにして収納装置１に食器等の物品を収納する。まず、利用者は、操作部２７または操作部３４を操作することで、昇降棚３を図１に示されるように収納箱２から下方に突出した突出位置に移動し、この昇降棚３に食器等の物品を載せる。次に利用者は、操作部２７または操作部３４を操作して昇降棚３を図２に示される収納位置に移動する。これにより、昇降棚３およびこれに配置された物品が収納箱２に収納される。
【００６２】
利用者は、昇降棚３を図２に示される収納位置に配置した状態で、操作部２７を操作して加熱装置５を駆動することで、収納箱２に収納された食器等の物品を乾燥できる。このように加熱装置５によって収納箱２内が加熱されたとき、この熱は遮熱部材６２によって遮熱され、照明装置６のケーシング６０には伝わりにくくなっている。
【００６３】
利用者は、操作部２７または操作部３４を操作して、発光装置６１の光源７０（複数の発光ダイオード７１）を点灯することで、収納箱２の下方を照明できる。なお、光源７０は、昇降棚３が収納箱２に収納されたときだけでなく、昇降棚３が収納箱２から下方に突出したときにおいても、点灯可能である。このため、利用者は、照明装置６を用いて、収納箱２から下方に突出した昇降棚３の内側や棚部３０を照明することもできる。
【００６４】
また、照明装置６の発光装置６１を利用したときにも、各光源７０や回路基板６９で発生した熱は、ケーシング６０の収納部６３から放熱フィン６４に伝わって放出される。
【００６５】
以上説明した本実施形態の収納装置１は、以下の特徴を有している。収納装置１は、収納箱２、昇降棚３、加熱装置５、および照明装置６を備える。昇降棚３は、収納箱２に収納された収納位置と収納箱２から下方に突出した突出位置との間で昇降可能である。加熱装置５は、収納箱２の内側を加熱するように構成される。照明装置６は、収納箱２の内側に設けられる。照明装置６は、ケーシング６０、発光装置６１、および遮熱部材６２を備える。ケーシング６０は、収納箱２の内面に沿って設けられる。発光装置６１は、ケーシング６０に収納される。遮熱部材６２は、ケーシング６０において収納箱２の内側に臨む外面を覆う。
【００６６】
この特徴を有する収納装置１は、照明装置６が収納箱２から大きく突出せず、外観がよい。また、利用者は、昇降棚３を昇降することで、物品を収納箱２に容易に収納できる。また、加熱装置５により収納箱２の内側を加熱することで、収納位置に配置された昇降棚３に載せた食器等の物品を速やかに乾燥できる。また、照明装置６の発光装置６１は、ケーシング６０に収納され、このケーシング６０において収納箱２の内側に臨む外面は遮熱部材６２によって覆われる。このため、加熱装置５により収納箱２の内側が加熱されたときに、この熱が発光装置６１に伝わりにくい。よって、発光装置６１が加熱装置５の熱で高温に加熱されにくくなり、照明装置６の故障等が生じにくい。
【００６７】
また、本実施形態の収納装置１は、以下の付加的な特徴を有している。ケーシング６０は金属製であり、ケーシング６０に放熱フィン６４が形成される。
【００６８】
この特徴を有する収納装置１は、収納箱２の内側が加熱装置５により加熱されたときに、照明装置６のケーシング６０に伝わった熱、および発光装置６１の発光時に光源７０や回路基板６９で発生する熱が、放熱フィン６４により放出される。このため、発光装置６１は、より一層高温になりにくい。
【００６９】
また、本実施形態の収納装置１は、以下の付加的な特徴を有している。収納箱２は、前板２１を備える。ケーシング６０は金属製である。前板２１がケーシング６０の前面に沿って配置され、ケーシング６０に取り付けられる。
【００７０】
この特徴を有する収納装置１は、金属製のケーシング６０によって収納箱２が補強される。また、これにより、収納箱２内の補強部材の増加を抑制し、収納箱２の容量を大きくすることも可能になる。
【００７１】
また、本実施形態の収納装置１は、以下の付加的な特徴を有している。収納箱２は、一対の側板２２，２３を備える。ケーシング６０は、金属製であり、一対の側板２２，２３の間に亘って設けられる。
【００７２】
この特徴を有する収納装置１は、一対の側板２２，２３の間に設けられた金属製のケーシング６０により、収納箱２が補強される。
【００７３】
なお、発光装置６１は、例えば、図６に示す装置であってもよい。この発光装置６１は、左右方向に延びた導光部材７１と、導光部材７１の左右方向の一端面である入光面に向けて光を発する光源７２（例えば発光ダイオード）と、光源７２が設けられた回路基板７３とを備えている。
【００７４】
この発光装置６１は、光源７２から発した光が入光面から導光部材７１に入射し、続いて導光部材７１の内部を入光面と反対側の端面に向かって進行する。そして、この光は、前記進行の過程で導光部材７１の上面に設けられた拡散反射部７４で拡散反射し、導光部材７１の下面から出射する。
【００７５】
なお、前記各実施形態の収納装置１は、本発明の趣旨を逸脱しない範囲で適宜設計変更可能である。
【符号の説明】
【００７６】
１  収納装置
２  収納箱
２１  前板
２２  側板（左）
２３  側板（右）
３  昇降棚
５  加熱装置
６  照明装置
６０  ケーシング
６１  発光装置
６２  遮熱部材
６４  放熱フィン
【図１】
0006497622.tif 000002
【図２】
0006497622.tif 000003
【図３】
0006497622.tif 000004
【図４】
0006497622.tif 000005
【図５】
0006497622.tif 000006
【図６】
0006497622.tif 000007